(57)【要約】【課題】帯電時に帯電装置によって発生する放電生成物が像担持体の表面に蓄積するのを防止して、出力画像が乱れる所謂デリーションを抑制することができる帯電装置、及びこれを備えた画像形成装置を得る。【解決手段】待機時の帯電ロール２２にプラスの直流電圧を印加することで、デリーションの原因となるＮＨ４＋を帯電ロール２２から拡散する。これにより、帯電ロール２２の近傍にＮＨ４＋が滞留しないため、ＮＨ４＋が像担持体１２の表面に蓄積されるのが防止され、出力画像が乱れる所謂デリーションを抑制することができる。【選択図】図１
2009031628.tif 000002
【特許請求の範囲】
【請求項１】
像担持体の表面を帯電させる帯電装置であって、
前記像担持体に隣接して配置される電圧保持部材と、  
前記像担持体の回転停止時に、前記電圧保持部材に電圧を印加する電圧印加手段と、
を備えることを特徴とする帯電装置。
【請求項２】
前記電圧保持部材は、前記像担持体を帯電させる帯電部材であって、
前記電圧印加手段は、前記回転停止時に前記帯電部材へプラスの直流電圧を印加することを特徴とする請求項１記載の帯電装置。
【請求項３】
前記電圧印加手段が前記帯電部材へ印加する直流電圧は、０Ｖ以上３１２Ｖ以下であることを特徴とする請求項２に記載の帯電装置。
【請求項４】
前記電圧印加手段は、蓄電池を備えることを特徴とする請求項１から３何れか１項に記載された帯電装置。
【請求項５】
前記帯電部材は、前記像担持体に接触していることを特徴とする請求項２から４何れか１項に記載された帯電装置。
【請求項６】
前記帯電部材は、前記像担持体と従動回転する帯電ロールであることを特徴とする請求項２から５何れか１項に記載された帯電装置。
【請求項７】
前記電圧保持部材は、前記像担持体を帯電させる帯電部材に隣接して配置される導電性支持体であって、前記電圧印加手段は、前記回転停止時に前記導電性支持体にマイナスの電圧を印加することを特徴とする請求項１記載された帯電装置。
【請求項８】
前記導電性支持体に隣接して多孔質状の吸着部材が設けられることを特徴とする請求項７記載の帯電装置。
【請求項９】
前記像担持体に画像形成を行なう画像形成時には、前記電圧印加手段は、前記導電性支持体にプラスの電圧を印加することを特徴とする請求項７又は８に記載の帯電装置。
【請求項１０】
前記像担持体の画像形成面には、前記像担持体を保護する保護層が設けられることを特徴とする請求項１から９何れか１項に記載された帯電装置。
【請求項１１】
請求項１から１０何れか１項に記載された帯電装置を備えることを特徴とする画像形成装置。
【発明の詳細な説明】
【技術分野】
【０００１】
本発明は、像担持体の表面を帯電する帯電装置、及びこの帯電装置を備えた画像形成装置に関する。
【背景技術】
【０００２】
帯電装置によって像担持体を帯電させる時に発生する放電生成物が、像担持体の表面に付着すると、付着した部分の導電性が上がり電荷が保持されなくなり、出力画像が乱れる所謂デリーションが発生する場合がある。
【０００３】
特に、画像形成動作を停止させ、一定時間後（例えば８時間後）に画像形成動作を開始させた場合に、デリーションが発生する。
【０００４】
これは、画像形成時に帯電装置によって発生し、画像形成動作の停止後に帯電装置の近傍に滞留している放電生成物が、帯電装置と対向する像担持体の表面に徐々に付着して、多量に蓄積することが原因である。
【０００５】
特許文献１では、帯電装置と像担持体が向かい合う近傍に、送風ファンと、この送風ファンに対向する位置に吸引ファンが設けられている。そして、画像形成動作停止後に、この送風ファン及び吸引ファンを可動させ、放電生成物が像担持体に付着するのを防止している。
【特許文献１】特開平８−２０２１２６公報
【発明の開示】
【発明が解決しようとする課題】
【０００６】
しかしながら、この方法では、送風ファン及び吸引ファンを設けなければならないため、高価な装置となっていた。
【０００７】
本発明は、上記事実を考慮し、帯電時に帯電装置によって発生する放電生成物が像担持体の表面に蓄積するのを防止することが課題である。
【課題を解決するための手段】
【０００８】
本発明の請求項１に係る帯電装置は、像担持体の表面を帯電させる帯電装置であって、前記像担持体に隣接して配置される電圧保持部材と、前記像担持体の回転停止時に、前記電圧保持部材に電圧を印加する電圧印加手段と、を備えることを特徴とする。
【０００９】
上記構成によれば、像担持体の回転停止時に、電圧印加手段が電圧保持に電圧を印加する。
【００１０】
ここで、画像形成時に帯電装置によって発生し、画像形成動作の停止後に帯電装置の近傍に滞留している放電生成物が、帯電装置と対向する像担持体の表面に徐々に付着して、多量に蓄積することで、画像形成開始時に出力画像が乱れる所謂デリーションが発生する場合がある。
【００１１】
しかし、前述したように、像担持体の回転停止時には、像担持体に隣接して配置される電圧保持部材に電圧が印加される。そして、電圧保持部材に印加された電圧によって、帯電装置の近傍に滞留している放電生成物が、拡散、又は引き寄せられる。これにより、像担持体の表面に放電生成物が蓄積されるのが防止され、出力画像が乱れる所謂デリーションを抑制することができる。
【００１２】
本発明の請求項２に係る帯電装置は、請求項１に記載において、前記電圧保持部材は、前記像担持体を帯電させる帯電部材であって、前記電圧印加手段は、前記回転停止時に前記帯電部材へプラスの直流電圧を印加することを特徴とする。
【００１３】
上記構成によれば、電圧保持部材は、像担持体を帯電させる帯電部材であり、電圧印加手段が、回転停止時に帯電部材へプラスの直流電圧を印加する。
【００１４】
ここで、デリーションの原因になる放電生成物は、主にＮＨ４＋である。
【００１５】
そこで、帯電部材にプラスの直流電圧を印加することで、帯電装置の近傍に滞留しているＮＨ４＋を拡散される。このため、像担持体の表面にＮＨ４＋が蓄積するのが防止される。
【００１６】
本発明の請求項３に係る帯電装置は、請求項２に記載において、前記電圧印加手段が前記帯電部材へ印加する直流電圧は、０Ｖ以上３１２Ｖ以下であることを特徴とする。
【００１７】
上記構成によれば、電圧印加手段が帯電部材へ印加する直流電圧は、０Ｖ以上＋３１２Ｖ以下である。
【００１８】
＋３１２Ｖはパッシェンの法則に基づく放電限界の電圧である。つまり、帯電部材への印加電圧を０Ｖ以上＋３１２Ｖ以下にすることで、回転停止時に帯電部材が放電するのを防止することができ、これにより、放電生成物が生成されるのを抑制することができる。
【００１９】
本発明の請求項４に係る帯電装置は、請求項１から３何れか１項に記載において、前記電圧印加手段は、蓄電池を備えることを特徴とする。
【００２０】
上記構成によれば、電圧印加手段は、蓄電池を備えている。このため、主電源を切っても、この蓄電池が電圧を電圧保持部材へ印加する。このように、電圧を印加するために、電源から印加する必要がないため、消費電力の上昇を抑えることができる。
【００２１】
本発明の請求項５に係る帯電装置は、請求項２から４何れか１項に記載において、前記帯電部材は、前記像担持体に接触していることを特徴とする。
【００２２】
上記構成によれば、帯電部材は、像担持体に接触しているため、プラスの電圧が印加された帯電部材は、効果的に、像担持体の表面からＮＨ４＋を拡散することができる。
【００２３】
本発明の請求項６に係る帯電装置は、請求項２から５何れか１項に記載において、前記帯電部材は、前記像担持体と従動回転する帯電ロールであることを特徴とする。
【００２４】
上記構成によれば、電圧印加手段は、像担持体と従動回転する帯電ロールにプラスの直流電圧を印加することで、帯電ロールの近傍に滞留している放電生成物を拡散する。
【００２５】
本発明の請求項７に係る帯電装置は、請求項１項に記載において、前記電圧保持部材は、前記像担持体を帯電させる帯電部材に隣接して配置される導電性支持体であって、前記電圧印加手段は、前記回転停止時に前記導電性支持体にマイナスの電圧を印加することを特徴とする。
【００２６】
上記構成によれば、回転停止時に、電圧印加手段は、帯電部材に隣接して配置される導電性支持体にマイナスの電圧を印加する。
【００２７】
ここで、デリーションの原因になる放電生成物は、主にＮＨ４＋である。
【００２８】
そこで、導電性支持体に、マイナスの電圧を印加することで、帯電装置の近傍に滞留しているＮＨ４＋が導電性支持体に引き寄せられ、像担持体の表面にＮＨ４＋が蓄積するのを防止することができる。
【００２９】
本発明の請求項８に係る帯電装置は、請求項７項に記載において、前記導電性支持体に隣接して多孔質状の吸着部材が設けられることを特徴とする。
【００３０】
上記構成によれば、導電性支持体に多孔質状の吸着部材が設けられている。このため、導電性支持体によって引き寄せられたＮＨ４＋を吸着部材が保持することができる。このように、一度引き寄せたＮＨ４＋を保持するため、再度、ＮＨ４＋が帯電装置の近傍に滞留するのを防止することができる。
【００３１】
本発明の請求項９に係る帯電装置は、請求項７又は８項に記載において、前記像担持体に画像形成を行なう画像形成時には、前記電圧印加手段は、前記導電性支持体にプラスの電圧を印加することを特徴とする。
【００３２】
上記構成によれば、像担持体に画像形成を行なう画像形成時には、電圧印加手段は、導電性支持体にプラスの電圧を印加する。このため、導電性支持体によって引き寄せられたＮＨ４＋は、導電性支持体から放出される。導電性支持体から放出されたＮＨ４＋が、像担持体の表面に付着することが考えられる。しかし、仮に像担持体の表面に付着しても、像担持体が駆動しているため、トナーと一緒に排出されるか、又はクリーナーによって像担持体の表面から掻き落とされるため、デリーションが発生することはない。
【００３３】
また、導電性支持体からＮＨ４＋が放出されると、導電性支持体には、ＮＨ４＋が残らない。このため、次回の回転停止時には、導電性支持体は、帯電装置の近傍に滞留しているＮＨ４＋を充分引き寄せることができる。
【００３４】
本発明の請求項１０に係る帯電装置は、請求項１から９何れか１項に記載において、前記像担持体の画像形成面には、前記像担持体を保護する保護層が設けられることを特徴とする。
【００３５】
上記構成によれば、像担持体の表面には、像担持体を保護する保護層が設けられている。
【００３６】
放電生成物は像担持体の保護層に付着し易いが、電圧保持部材に印加された電圧によって、帯電装置の近傍に滞留している放電生成物が、拡散、又は引き寄せられるので、放電生成物が保護層に蓄積するのを防止することができる。
【００３７】
本発明の請求項１１に係る画像形成装置は、請求項１から１０何れか１項に記載された帯電装置を備えることを特徴とする。
【００３８】
上記構成によれば、画像形成装置は、請求項１から１０何れか１項に記載された帯電装置を備えるため、画像形成動作を停止させ、一定時間後（例えば８時間後）に画像形成動作を開始させた場合でも、作動開始時からデリーションの発生が抑制された高品質な出力画像を得ることができる。
【発明の効果】
【００３９】
本発明によれば、帯電時に帯電装置によって発生する放電生成物が像担持体の表面に蓄積するのを防止することができる。
【発明を実施するための最良の形態】
【００４０】
本発明の第１実施形態に係る帯電装置４０が採用された画像形成装置１００の実施形態を図１〜図３に従って説明する。
【００４１】
図３に示されるように、この画像形成装置１００は、図示しないパーソナルコンピュータ等の画像データ入力装置から送られてくるカラー画像情報に基づいて画像処理を行い、電子写真方式によって記録媒体としての記録用紙Ｐにカラー画像を形成するものである。
【００４２】
画像形成装置１００は、イエロー（Ｙ）、マゼンタ（Ｍ）、シアン（Ｃ）、ブラック（Ｋ）の各色のトナー像を形成する画像形成ユニット１０Ｙ，１０Ｍ，１０Ｃ，１０Ｋを備えている。なお、以降、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。
【００４３】
画像形成ユニット１０Ｙ，１０Ｍ，１０Ｃ，１０Ｋは、バックアップロール３４と複数の張架ロール３２によって張架された無端状の中間転写ベルト３０の進行方向に対して、画像形成ユニット１０Ｙ，１０Ｍ，１０Ｃ，１０Ｋの順番で直列に配列されている。また、中間転写ベルト３０は、各画像形成ユニット１０Ｙ，１０Ｍ，１０Ｃ，１０Ｋの像担持体としての像担持体１２Ｙ，１２Ｍ，１２Ｃ，１２Ｋと、それぞれ対向して配設される一次転写ロール１６Ｙ、１６Ｍ，１６Ｃ，１６Ｋとの間を挿通している。また、像担持体１２の表面には、像担持体１２を保護する保護層が設けられている。
【００４４】
次に、各画像形成ユニット１０Ｙ，１０Ｍ，１０Ｃ，１０Ｋの構成と画像形成の動作とを、代表してイエロートナー画像を形成する画像形成ユニット１０Ｙについて説明する。
【００４５】
像担持体１２Ｙの表面は、帯電装置４０Ｙに備えられた帯電ロール２２Ｙによって一様に帯電される。なお、帯電装置４０Ｙに関しては、詳細を後述する。
【００４６】
次に、露光装置１４Ｙによりイエロー画像に対応する像露光がなされ、像担持体１２Ｙの表面にイエロー画像に対応する静電潜像が形成される。
【００４７】
イエロー画像に対応する静電潜像は、現像装置１５Ｙの現像ロール１８Ｙに担持されたトナーによって現像され、イエロートナー画像となる。イエロートナー画像は、一次転写ロール１６Ｙの圧接力と、一次転写ロール１６Ｙに印加された転写バイアスによる静電吸引力によって、中間転写ベルト３０上に一次転写される。
【００４８】
この一次転写では、イエロートナー画像は全て中間転写ベルト３０に転写されず、一部が転写残留イエロートナーとして、像担持体１２Ｙに残留する。また、像担持体１２Ｙの表面には、トナーの外添剤なども付着している。一次転写後の像担持体１２Ｙは、感光体クリーナー２０Ｙとの対向位置を通過し、像担持体１２Ｙの表面の転写残留トナーなどが除去される。その後、像担持体１２Ｙの表面は、つぎの画像形成サイクルの為、帯電装置４０で再び帯電される。
【００４９】
また、画像形成装置１００では、各画像形成ユニット１０Ｙ，１０Ｍ，１０Ｃ，１０Ｋの相対的な位置の違いを考慮したタイミングで、上記と同様の画像形成工程が各画像形成ユニット１０Ｙ，１０Ｍ，１０Ｃ，１０Ｋにおいて行われ、中間転写ベルト３０上に、順次、Ｙ，Ｍ，Ｃ，Ｋの各色トナー像が重ねられ、多重トナー像が形成される。
【００５０】
そして、所定のタイミングで二次転写位置Ａへと搬送されてきた記録用紙Ｐに、転写バイアスが印加された二次転写ロール３６の静電吸引力によって、中間転写ベルト３０から多重トナー像が一括して、記録用紙Ｐに転写される。
【００５１】
多重トナー像が転写された記録用紙Ｐは、中間転写ベルト３０から分離された後、定着装置３１へと搬送され、熱と圧力とにより記録用紙Ｐに定着されてフルカラー画像が形成される。
【００５２】
記録用紙Ｐに転写されなかった中間転写ベルト３０上の転写残留トナーは、中間転写ベルト用クリーナー３３で回収される。
【００５３】
次に帯電装置４０について説明する。
【００５４】
図１に示されるように、像担持体１２を一様に帯電させる帯電装置４０は、像担持体１２と接して従動回転する帯電ロール２２を備えている。
【００５５】
さらに、帯電装置４０は、像担持体１２に画像を形成される画像形成時に、直流成分に交流成分が重畳された電圧を帯電ロール２２へ印加する電源４２と、画像形成時に、電源４２と帯電ロール２２を接続するスイッチ４８を備えている。
【００５６】
また、帯電装置４０は、像担持体１２の回転停止時に、プラスの直流電圧をスイッチ４８を通して帯電ロール２２へ印加する直流電源４４及びダイオード４３を備えている。
【００５７】
さらに、スイッチ４８と直流電源４４の間には、帯電ロール２２へ印加するプラスの直流電圧が充電される蓄電池４６が設けられている。なお、蓄電池４６は、画像形成時に一次転写ロール１６へ印加される電圧によって充電されるようになっている。
【００５８】
つまり、スイッチ４８は、制御部の指示により、画像形成時には、図１の実線で示す位置に配置され、電源４２と帯電ロール２２が接続されるようになっており、回転停止時には、図１の点線に示す位置に配置され、直流電源４４及び蓄電池４６と帯電ロール２２が接続されるようになっている。
【００５９】
また、直流電源４４及び蓄電池４６が帯電ロール２２に印加する電圧は、０Ｖ以上＋３１２Ｖ以下に設定されている。さらに、画像形成装置１００（図３参照）の主電源が切られた場合でも、蓄電池４６が帯電ロール２２に直流電圧を印加するようになっている。
【００６０】
ここで、画像形成時に帯電ロール２２が像担持体１２を帯電させることで発生する放電生成物が、画像形成動作停止後に帯電ロール２２の近傍に滞留し、滞留した放電生成物が帯電ロール２２と対向する像担持体１２の表面に徐々に付着し、多量に蓄積する。これにより、画像形成動作開始時に出力画像が乱れる所謂デリーションが発生する場合がある。
【００６１】
しかし、本実施形態では、像担持体１２の回転停止時には、直流電源４４、又は蓄電池４６からプラスの電圧が帯電ロール２２に印加される。これにより、デリーションの原因となる主な放電生成物であるＮＨ４＋を帯電ロール２２から拡散する。このため、帯電ロール２２の近傍にＮＨ４＋が滞留しないようになっている。
【００６２】
ここで、本出願の発明者は、回転停止時の帯電ロール２２にプラスの直流電圧を印加してデリーションテストを実施した。
【００６３】
以下テスト方法、及び評価基準について記載する。
【００６４】
放電生成物が発生し易い高温高湿環境下（雰囲気温度２８℃、湿度８５％）で、像担持体サイクルとして５０ｋｃｙｃｌｅのプリントテストを実施して画像形成動作を停止する。
【００６５】
さらに、プラスの直流電圧（５Ｖ、１００Ｖ、２００Ｖ）を帯電ロール２２に印加した状態で８時間以上放置した後、画像形成動作を再開させハーフトーンプリントを実施する。
【００６６】
そして、その際のハーフトーンの濃度差を目視にて評価し、グレード付けを行う。出力画像の品質低下がユーザーに気付かれないグレード１以下が目標値である。つまり、グレード１以下であれば、デリーションは発生していない。
【００６７】
なお、ドラムサイクルとして５０ｋｃｙｃｌｅのプリントテストとは、出力するシート材の枚数に換算すると３０００枚〜５０００枚程度である。
【００６８】
また、比較例として、画像形成動作停止後に電圧を印加させない場合についても評価を実施した。
【００６９】
図２に示される評価結果の横軸は、画像形成動作再開後の像担持体１２のドラム回転回数であり、縦軸は前述した目視評価によるグレードである。
【００７０】
この結果から分かるように、回転停止時に電圧を印加していない（０Ｖ）場合は、デリーションが無くなるまで、つまり、グレード１に達するまで、ドラム回転回数が１６０回であるのに対し、５Ｖ、１００Ｖ、２００Ｖの印加で、画像形成動作再開時からグレード１に達していることが分かる。また、この結果より、５Ｖの充電型の電池でも充分に効果があることが分かる。
【００７１】
このように、実験結果からも分かるように、回転停止時の帯電ロール２２にプラスの直流電圧を印加することで、像担持体１２の表面にＮＨ４＋が蓄積されるのが防止され、出力画像が乱れる所謂デリーションを抑制することができる。つまり、高温高湿下に長時間放置された後も、１枚目から良好な画像を得る事が可能である。
【００７２】
また、直流電源４４、及び蓄電池４６が帯電ロール２２に印加する電圧は、０Ｖ以上＋３１２Ｖ以下に設定されている。＋３１２Ｖはパッシェンの法則に基づく放電限界の電圧である。つまり、帯電部材への印加電圧を０Ｖ以上＋３１２Ｖ以下にすることで、回転停止時に帯電部材が放電するのを防止することができ、これにより、放電生成物（ＮＨ４＋）が生成されるのを抑制することができる。
【００７３】
また、画像形成装置１００の主電源を切っても、蓄電池４６が帯電ロール２２へ電圧を印加する。このように、帯電ロール２２に電圧を印加するために画像形成装置１００の主電源を入れておく必要がないため、消費電力の上昇を抑えることができる。
【００７４】
また、像担持体１２の表面には、像担持体１２を保護する保護層が設けられている。一般的に、保護層は固くて削れにくい。このため、ＮＨ４＋は像担持体１２の表面に付着し易くなるが、帯電ロール２２に印加されたプラスの直流電圧によって、帯電ロール２２の近傍に滞留しているＮＨ４＋が拡散される。このため、保護層が設けられた像担持体１２の表面に、ＮＨ４＋が蓄積されることはない。
【００７５】
また、帯電ロールの材質に関係なく、帯電ロール２２の近傍に滞留するＮＨ４＋を拡散することができるため、帯電ロール２２の材料選択の幅を広げることができる。
【００７６】
また、帯電ロール２２に電圧を印加するだけの構成であるため、装置の大型化や装置のコストアップを抑えることができる。    
【００７７】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、帯電ロール２２と像担持体１２を接触させたが、離間させてもよい。
【００７８】
また、上記実施形態では、像担持体を帯電させる帯電部材として帯電ロール２２を使用したが、ブラシ状、及びプレート状等の他の形状の帯電部材を使用してもよい。
【００７９】
次に本発明の第２実施形態に係る帯電装置６０が採用された画像形成装置１００について図４に従って説明する。
【００８０】
なお、第１実施形態と同一部材については、同一符号を付してその説明を省略する。
【００８１】
この実施形態では第１実施形態のように、回転停止時に帯電ロールに電圧を印加する直流電源は設けられておらず、それに替えて、帯電装置６０に備えられた帯電ロール５０を保持する保持部材５２には、回転停止時にマイナスの直流電圧が印加される平板状の導電性支持体５４が設けられている。
【００８２】
詳細には、帯電ロール５０を保持する保持部材５２は、帯電ロール５０を覆うように箱状とされており、保持部材５２の像担持体１２と対向する端部には、帯電ロール５０側に傾いた一対の斜面５２Ａが設けられている。
【００８３】
また、斜面５２Ａには、平板状の導電性支持体５４が固定されており、さらに、導電性支持体５４に直流電圧を印加する直流電源５６が設けられている。
【００８４】
この直流電源５６は、回転停止時には、図示せぬ制御部の制御によりマイナスの直流電圧を導電性支持体５４に印加するようになっており、画像形成時には、プラスの直流電圧を導電性支持体５４に印加するようになっている。
【００８５】
なお、回転停止時に印加する電圧は、０．３Ｖ〜１．５ｋＶであって、望ましくは０．５〜１．０ｋＶの範囲であり、画像形成時に印加する電圧は、０．５Ｖ〜１．５ｋＶである。
【００８６】
また、導電性支持体５４に重なるように、多孔質状の吸着部材５８が設けられている。なお、吸着部材５８としては、ゼオライト等を使用することができる。
【００８７】
以上の構成により、像担持体１２の回転停止時には、直流電源５６からマイナスの直流電圧が導電性支持体５４に印加される。このため、帯電ロール５０の近傍に滞留しているＮＨ４＋が、導電性支持体５４に引き寄せられる。さらに、引き寄せられたＮＨ４＋は、吸着部材５８に吸着されて保持される。このため、ＮＨ４＋が像担持体１２の表面に付着することがない。
【００８８】
また、画像形成時には、直流電源５６がプラスの直流電圧を導電性支持体５４に印加する。このため、導電性支持体５４によって引き寄せられたＮＨ４＋は、導電性支持体５４から放出される。そして、導電性支持体５４から放出されたＮＨ４＋が像担持体１２の表面に付着することが考えられる。しかし、仮に像担持体１２の表面に付着しても、像担持体１２が駆動しているため、トナーと一緒に排出されるか、又はクリーナーによって表面から掻き落とされるため、デリーションが発生することはない。
【００８９】
さらに、導電性支持体５４からＮＨ４＋が放出されると、導電性支持体５４には、ＮＨ４＋が残らないため、次回の回転停止時には、導電性支持体５４が、帯電ロール５０の近傍に滞留しているＮＨ４＋を充分引き寄せることができる。
【００９０】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、画像形成時に、直流電源がプラスの直流電圧を導電性支持体５４に印加したが、画像成形時に導電性支持体５４に電圧を印加しなくてもよい。
【００９１】
また、上記実施形態では、特に説明しなかったが、帯電装置６０の開閉カバーに開閉検知部材を設け、カバーが開いた時に、電圧を印加するのを停止する構成としてもよい。この場合には、ユーザーが誤って導電性支持体５４に触れて感電するのを防止することができる。
【図面の簡単な説明】
【００９２】
【図１】本発明の第１実施形態に係る帯電装置を示した概略構成図である。
【図２】本発明の第１実施形態に係る帯電装置が採用された画像形成装置のデリーション評価の評価結果を表した図である。
【図３】本発明の第１実施形態に係る帯電装置が採用された画像形成装置を示した概略構成図である。
【図４】本発明の第２実施形態に係る帯電装置を示した概略構成図である。
【符号の説明】
【００９３】
１２      像担持体
２２      帯電ロール（電圧保持部材）
４０      帯電装置
４４      直流電源（電圧印加手段）
４６      蓄電池（電圧印加手段）
５４      導電性支持体
５６      直流電源（電圧印加手段）
５８      吸着部材
６０      帯電装置
【図１】
2009031628.tif 000003
【図２】
2009031628.tif 000004
【図３】
2009031628.tif 000005
【図４】
2009031628.tif 000006